(57)【要約】【課題】本発明は、平型柔軟ケーブル用電気コネクタ（ＦＰＣ）に係り、前記ＦＰＣを強固に保持すると共に、ケーブルを外す際にも作業性を良くすることが課題である。【解決手段】絶縁ハウジングと、該絶縁ハウジングに所定のピッチで横方向に併設された複数のコンタクトと、前記絶縁ハウジングに回動自在に支持され該絶縁ハウジング前方の接続口から挿入されたケーブルを押圧し保持する回転カバーと、から構成され、前記回転カバーが該カバーの横方向の両端部にある回転軸部と、前記ケーブルを押圧する蓋部と、該蓋部を前記回転軸部を中心に揺動させる開閉操作部とから成るとともに、前記両回転軸部の軸心に対して前記蓋部と開閉操作部とが共にコネクタの前後方向において前記接続口の反対側に設けられているＦＰＣ用電気コネクタ。【選択図】    図１
2004265768.tif 000002
【特許請求の範囲】
【請求項１】
絶縁ハウジングと、
該絶縁ハウジングに所定のピッチで横方向に併設された複数のコンタクトと、
前記絶縁ハウジングに回動自在に支持され該絶縁ハウジング前方の接続口から挿入されたケーブルを押圧し保持する回転カバーと、から構成され、
前記回転カバーが該カバーの横方向の両端部にある回転軸部と、前記ケーブルを押圧する蓋部と、該蓋部を前記回転軸部を中心に揺動させる開閉操作部とから成るとともに、
前記両回転軸部の軸心に対して前記蓋部と開閉操作部とが共にコネクタの前後方向において前記接続口の反対側に設けられていること、
を特徴とするＦＰＣ用電気コネクタ。
【請求項２】
回転カバーの蓋部には、コンタクトのピッチに合わせて一つ置きで横方向に、コンタクトの弾性腕部の下位置に係合され回転カバーが上方向に浮き上がるのを防止するとともに、ケーブルを食い込み方向に押さえる係合押圧部材が設けられていること、
を特徴とする請求項１に記載のＦＰＣ用電気コネクタ。
【請求項３】
回転カバーの開閉操作部は、絶縁ハウジングの後方端部から更に後方に突出して配設されていること、
を特徴とする請求項１または２に記載のＦＰＣ用電気コネクタ。
【請求項４】
回転カバーの係合押圧部材は、該回転カバーが開状態の時に略４５゜の開き角度若しくはそれ以下の開き角度となるように、コンタクトの弾性腕部の係合部と係合する形状であること、
を特徴とする請求項２に記載のＦＰＣ用電気コネクタ。
【発明の詳細な説明】
【０００１】
【発明の属する技術分野】
本発明は、平型柔軟ケーブル（以下、ＦＰＣという）用電気コネクタに係り、詳しくは、前記ＦＰＣを接続口からゼロ挿入力で電気コネクタに接続し、この電気コネクタの回転カバーを閉蓋することで当該ＦＰＣを保持するＦＰＣ用電気コネクタに関する。
【０００２】
【従来の技術】
従来において、ＦＰＣを接続口からゼロ挿入力で差込み、回転カバーでコンタクトに接続させて保持する電気コネクタは、絶縁ハウジングと、該絶縁ハウジングに所定のピッチで横方向に併設された複数のコンタクトと、前記絶縁ハウジングに回動自在に支持され接続口から挿入されたＦＰＣを押圧して該ＦＰＣと前記コンタクトの接続部との電気的接続を図る回転カバーとから構成されているものが、知られている（例えば、特許文献１参照。）。
【０００３】
【特許文献１】
実開平０６−７７１８６号公報（第１頁乃至第２頁、第１図乃至第５図）
【０００４】
【発明が解決しようとする課題】
しかしながら、従来のＦＰＣ用電気コネクタは、絶縁ハウジングの接続口側に回転カバーがあり、軽薄短小及び低背化によって電気コネクタが小型化されているので、ＦＰＣ挿入時に当該ＦＰＣが邪魔になって同一側にある回転カバーの開閉がし難くなる。また、このＦＰＣのこねり等により回転カバーが開方向に付勢され、ＦＰＣの固定力が弱くなる、という課題がある。
本発明に係るＦＰＣ用電気コネクタは、このような課題を解決するために提案されたものである。
【０００５】
【課題を解決するための手段】
上記課題を解決するために、本発明に係るＦＰＣ用電気コネクタの要旨は、絶縁ハウジングと、該絶縁ハウジングに所定のピッチで横方向に併設された複数のコンタクトと、前記絶縁ハウジングに回動自在に支持され該絶縁ハウジング前方の接続口から挿入されたケーブルを押圧し保持する回転カバーと、から構成され、前記回転カバーが該カバーの横方向の両端部にある回転軸部と、前記ケーブルを押圧する蓋部と、該蓋部を前記回転軸部を中心に揺動させる開閉操作部とから成るとともに、前記両回転軸部の軸心に対して前記蓋部と開閉操作部とが共にコネクタの前後方向において前記接続口の反対側に設けられていることである。
【０００６】
前記回転カバーの蓋部には、コンタクトのピッチに合わせて一つ置きで横方向に、コンタクトの弾性腕部の下位置に係合され回転カバーが上方向に浮き上がるのを防止するとともに、ケーブルを食い込み方向に押さえる係合押圧部材が設けられていること、；
前記回転カバーの開閉操作部は、絶縁ハウジングの後方端部から更に後方に突出して配設されていること、；
前記回転カバーの係合押圧部材は、該回転カバーが開状態の時に略４５゜の開き角度若しくはそれ以下の開き角度となるように、コンタクトの弾性腕部の係合部と係合する形状であることを含むものである。
【０００７】
本発明に係るＦＰＣ用電気コネクタによれば、電気コネクタの前方にある接続口にケーブルを挿入した後に、前記両回転軸部の軸心に対してこの接続口の反対側に配設された回転カバーの開閉操作部を作業者が手で閉方向に揺動させるので、手前にあるケーブルが邪魔にならない。開作業の場合にも同様に邪魔になることがない。
【０００８】
また、回転カバーの蓋部には係合押圧部材が設けられているので、接続口から差し込んだケーブルが、確実に把持固定され、しかも、ケーブルを食い込み方向に押さえるので、ケーブルの引張りに対しての固定保持力が増大する。さらに、回転カバーの開閉操作部は、絶縁ハウジングの後方端部から更に後方に突出して配設されているので、この開閉操作部に作業者の指先を引っかけやすく、開閉作業が容易となる。そして、回転カバーの係合押圧部材は、該回転カバーが開状態の時に略４５゜の開き角度若しくはそれ以下の開き角度となるように、コンタクトの弾性腕部の係合部と係合する形状であることにより、電気コネクタ全体の上下方向の高さが低くなり、例えば、デジタルカメラなどの電子機器において、一層の低背化が可能となる。
【０００９】
【発明の実施の形態】
次に、本発明に係るＦＰＣ用電気コネクタ１について、図面を参照して説明する。
【００１０】
ＦＰＣ用電気コネクタ１は、図１乃至図３に示すように、合成樹脂製の絶縁ハウジング２と、該絶縁ハウジング２に所定のピッチｔで横方向（左右方向）にケーブル用当接部３ａ，４ａを千鳥配置にして併設された複数のコンタクト３，４と、前記絶縁ハウジング２に回動自在に支持され該絶縁ハウジング前方の接続口５から挿入されたケーブル（ＦＰＣ）Ａ（図９参照）を押圧し保持する合成樹脂製の回転カバー６とから構成される。この電気コネクタ１は、一例としてその大きさが、横寸法が約１８ｍｍ、縦寸法が４．５ｍｍ、高さ１．２ｍｍ程度のものである。
【００１１】
前記回転カバー６は、図４に示すように、該カバー６の横方向の両端部にある回転軸部６ａ，６ｂと、前記ケーブルＡを押圧する蓋部６ｃと、該蓋部６ｃを前記回転軸部６ａ，６ｂを中心に揺動させる開閉操作部６ｄとから成る。更に、前記両回転軸部６ａ，６ｂの軸心６ｅに対して、前記蓋部６ｃと開閉操作部６ｄとが共に電気コネクタ１の前後方向において、前記接続口５の反対側に設けられている。また、中央部には、左右に長い長孔６ｆが、絶縁ハウジング２の上部を避けるようにして設けられている。
【００１２】
前記回転カバー６の蓋部６ｃには、図３（Ａ），（Ｂ）及び図７に示すように、絶縁ハウジング２の嵌合孔に圧入されるコンタクト３，４のピッチｔに合わせて一つ置きで横方向に、前記コンタクト３の弾性腕部３ａの下位置に係合され回転カバー６がケーブル押圧の反力で上方向に浮き上がるのを防止するとともに、ケーブルＡを食い込み方向に押さえる係合押圧部材６ｇが設けられている。
【００１３】
前記係合押圧部材６ｇは、図３（Ｃ）に示すように、絶縁ハウジング２に回転カバー２を装着する際に、絶縁ハウジング２の軸受け部に回転軸部を嵌装させつつ、コンタクト３の弾性腕部３ａの下面に当接させるようにして、回転カバー６を前方から後方へと差し入れて、嵌装させるものである。図示するように、回転カバー６の開状態では、θ＝略４５゜程度の開き角度になるように、前記弾性腕部３ａの下面と、係合押圧部材６ｇの上面とが、略水平となる形状になっている。なお、この開き角度θに関しては、実際の開閉作業性を考慮して、２０゜≦θ≦４５゜程度にするものである。更に、低背化のためには、高さＨを低くするために、略４５゜以下にするものである。
【００１４】
また、回転カバー６の開閉操作部６ｄは、絶縁ハウジング２の後方端部からさらに後方に突出して配設されている。これにより、閉蓋状態の回転カバー６を開状態にする際に、作業者の指先を、前記突出している当該開閉操作部６ｄに当てがい易くなるものである。
【００１５】
このようなＦＰＣ用電気コネクタ１の使用方法は、図９乃至図１０に示すように、まず、図３（Ｃ）に示す電気コネクタ１が、例えば、リフローによりプリント基板上に半田付けされて実装される。コンタクト３の前方の下面の一部がリード部３ｂとなって半田付けされ、同様に、コンタクト４の後方の下面の一部がリード部４ｂとなって回路パターンに半田付けされる。その際の、フラックスの上がり防止のために、コンタクト３の前方には、フラックス溜まりとなる凹部３ｃが設けられている。
【００１６】
次ぎに、図３（Ｃ）の回転カバー６の開状態から、図９乃至図１０に示すように、ＦＰＣであるケーブルＡを、接続口５から差し込む。このケーブルＡの先端部が突き当たりまで差し込まれたならば、絶縁ハウジング２の後端よりも後方に突出している開閉操作部６ｄを、指等で押すことで回転軸部６ａを中心にして下方向に揺動させる。これにより、蓋部６ｃと係合押圧部材６ｇが共に、回転軸部６ａを中心に回転し、ケーブルＡを作業性良く押圧することができる。開閉操作部６ｄは、絶縁ハウジング２の横端部にあるロック部２ａにより閉状態で係止される。
【００１７】
前記ケーブルＡの回路パターンと、コンタクト３，４の当接部３ｄ，４ａとが当接して接続され、プリント基板に半田付けされた前記コンタクト３のリード部３ｂ，４ｂを介してプリント基板の回路パターンと前記ケーブルＡとの電気的接続が図られるものである。
【００１８】
ケーブルＡは、前記蓋部６ｃで押圧されてコンタクト４との接続が確実に成されると共に、係合押圧部材６ｇによって前方へ引張ると食い込む方向に押圧されているので引抜き難く、この電気コネクタ１にしっかりと固定されるものである。
【００１９】
【発明の効果】
上記説明したように、本発明に係るＦＰＣ用電気コネクタは、絶縁ハウジングと、該絶縁ハウジングに所定のピッチで横方向に併設された複数のコンタクトと、前記絶縁ハウジングに回動自在に支持され該絶縁ハウジング前方の接続口から挿入されたケーブルを押圧し保持する回転カバーと、から構成され、前記回転カバーが該カバーの横方向の両端部にある回転軸部と、前記ケーブルを押圧する蓋部と、該蓋部を前記回転軸部を中心に揺動させる開閉操作部とから成るとともに、前記両回転軸部の軸心に対して前記蓋部と開閉操作部とが共にコネクタの前後方向において前記接続口の反対側に設けられているので、接続口に挿入されたＦＰＣの蓋部による閉蓋作業がしやすくなり、また、開作業においても、前記ＦＰＣが邪魔にならず能率的となると言う優れた効果を奏するものである。
【００２０】
前記回転カバーの蓋部材には、コンタクトのピッチに合わせて一つ置きで横方向に、コンタクトの弾性腕部の下位置に係合され回転カバーが上方向に浮き上がるのを防止するとともに、ケーブルを食い込み方向に押さえる係合押圧部材が設けられているので、接続されたＦＰＣの固定力が高められる。
【００２１】
前記回転カバーの開閉操作部は、絶縁ハウジングの後方端部から更に後方に突出して配設されているので、絶縁ハウジング後方端部からの突出部分に指を掛けやすくなって、蓋部材の開作業がしやすくなるものである。
【００２２】
回転カバーの係合押圧部材は、該回転カバーが開状態の時に略４５゜の開き角度若しくはそれ以下の開き角度となるように、コンタクトの弾性腕部の係合部と係合する形状であるので、低背化の要求に応じるものとなると言う優れた効果を奏するものである。
【図面の簡単な説明】
【図１】本発明に係るＦＰＣ用電気コネクタ１の平面図（Ａ）、正面図（Ｂ）である。
【図２】同本発明に係るＦＰＣ用電気コネクタ１の側面図である。
【図３】図１におけるＸ−Ｘ線に沿った断面図（Ａ）、同図Ｙ−Ｙ線に沿った断面図（Ｂ）、回転カバー６の開状態のＸ−Ｘ線に沿った断面図（Ｃ）である。
【図４】回転カバー６の平面図（Ａ）、背面図（Ｂ）、正面図（Ｃ）である。
【図５】回転カバー６の側面図である。
【図６】図４におけるＸ−Ｘ線に沿った断面図である。
【図７】図４におけるＹ−Ｙ線に沿った断面図である。
【図８】図４におけるＺ−Ｚ線に沿った断面図である。
【図９】電気コネクタ１にＦＰＣを接続させた状態の平面図である。
【図１０】電気コネクタ１にＦＰＣを接続させて回転カバー６で閉蓋する様子を示す断面図（Ａ）、閉蓋状態の断面図（Ｂ），（Ｃ）である。
【符号の説明】
１      ＦＰＣ用電気コネクタ、    ２          絶縁ハウジング、
２ａ    ロック部、
３      コンタクト、              ３ａ        弾性腕部、
３ｂ    リード部、                ３ｃ        凹部、
３ｄ    当接部、
４      コンタクト、              ４ａ        当接部、
４ｂ    リード部、
５      接続口、
６      回転カバー、              ６ａ，６ｂ  回転軸部、
６ｃ    蓋部、                    ６ｄ        開閉操作部、
６ｅ    軸心、                    ６ｆ        長孔、
６ｇ    係合押圧部材。
【図１】
2004265768.tif 000003
【図２】
2004265768.tif 000004
【図３】
2004265768.tif 000005
【図４】
2004265768.tif 000006
【図５】
2004265768.tif 000007
【図６】
2004265768.tif 000008
【図７】
2004265768.tif 000009
【図８】
2004265768.tif 000010
【図９】
2004265768.tif 000011
【図１０】
2004265768.tif 000012